(57)【特許請求の範囲】
【請求項１】
筒状の胴部を有するドラム本体と、
前記胴部外周に巻回されたＬＡＮ（Local Area Network）ケーブルと、
前記ドラム本体の側面に配置され、前記胴部内より前記ＬＡＮケーブルの一端が接続されるジャックと、
前記ジャックと前記ＬＡＮケーブルとの接続部分を覆うとともに、前記ジャックと前記ＬＡＮケーブルとの接続部分近傍における前記ＬＡＮケーブルの曲げを抑制するカバー部材と、を備え、
前記カバー部材は、前記ジャックと前記ＬＡＮケーブルとの接続部分を覆う筒状のケーシング部と、前記ケーシング部の一端部に設けられ、前記ＬＡＮケーブルを把持する、中心にケーブル挿通孔を有するクランプ部と、を備え、
前記ケーシング部の他端部は、前記ドラム本体の側面に内側から押し付けられる状態で前記ジャック側と螺着されている、
ことを特徴とするケーブル付き電工ドラム。
【請求項２】
前記ドラム本体の側面に、ハウジング本体を配置するための孔が設けられており、この孔に外部より前記ハウジング本体に挿入するとともに、前記胴部内部より前記ケーシング部を前記ハウジング本体に螺着させることにより、前記ハウジング本体が前記ドラム本体の側面に固定されていることを特徴とする請求項１記載のケーブル付き電工ドラム。
【請求項３】
前記ケーシング部と前記ドラム本体の側面との間をシールする第１のシール部材をさらに備えることを特徴とする請求項１又は２記載のケーブル付き電工ドラム。
【請求項４】
前記第１のシール部材が、Ｏリングからなることを特徴とする請求項３記載のケーブル付き電工ドラム。
【請求項５】
前記ケーシング部と前記クランプ部との間をシールする第２のシール部材をさらに備えることを特徴とする請求項１乃至４のいずれか１項記載のケーブル付き電工ドラム。
【請求項６】
前記ドラム本体を回転自在に支持するフレームをさらに備えることを特徴とする請求項１乃至５のいずれか１項記載のケーブル付き電工ドラム。
【発明の詳細な説明】
【技術分野】
【０００１】
本発明は、ケーブル付き電工ドラムに関する。
【背景技術】
【０００２】
従来、ケーブル付き電工ドラムは、展示会やコンサートなどの各種イベントでの中継用の配線、臨時防犯用のネットワークカメラなどの設置に伴う配線、障害発生時の応急復旧用の配線などの用途で利用されている。
【０００３】
一般に、この種のケーブル付き電工ドラムは、筒状の胴部を有するドラム本体、胴部外周に巻回されたケーブル、ドラム本体を回転自在に支持するフレームなどを備えている。胴部側面にはジャックが装着されており、胴部外周に巻回されたケーブルの一端は、このジャックを介して他のケーブルに接続できるようになっている（例えば、特許文献１、２等参照）。
【０００４】
このようなケーブル付き電工ドラムでは、屋外で使用する際の雨天などを想定した防水対策、特にジャックとケーブルとの接続部分における対策が必要となる。また、配線の際などにケーブルに加わる機械的ストレスに対する対策も必要である。
【０００５】
従来のケーブル付き電工ドラムは、防水性に対し、胴部外側からジャック内部に水が侵入しないような構造を採用することで対応している。しかしながら、この場合、胴部外側からの防水対策は十分であるものの、胴部内側での対策、すなわち、胴部内に入り込んだ水に対する対策は不十分であった。
【０００６】
一方、配線の際などにケーブルに加わる機械的ストレスに対する対策は殆ど講じられておらず、特に、ジャックとケーブルとの接続部分は大きな曲げ応力が加わりやすく、例えば、通信ケーブルにおいては伝送特性が低下するおそれがあった。
【先行技術文献】
【特許文献】
【０００７】
【特許文献１】特開２００３−１１８９４０号公報
【特許文献２】特開２００８−４２４２９号公報
【発明の概要】
【発明が解決しようとする課題】
【０００８】
本発明は、上記従来技術の課題を解決するためになされたもので、ジャックとケーブルとの接続部分における防水性を十分に確保することができるとともに、ジャックとケーブルとの接続部分近傍でケーブルに急峻な曲げが加わることによる伝送特性などの特性低下を防止することでき、これにより優れた長期信頼性を具備することができるケーブル付き電工ドラムを提供することを目的とする。
【課題を解決するための手段】
【０００９】
本発明の第１の態様に係るケーブル付き電工ドラムは、筒状の胴部を有するドラム本体と、前記胴部外周に巻回されたＬＡＮ（Local Area Network）ケーブルと、前記ドラム本体の側面に配置され、前記胴部内より前記ＬＡＮケーブルの一端が接続されるジャックと、前記ジャックと前記ＬＡＮケーブルとの接続部分を覆うとともに、前記ジャックと前記ＬＡＮケーブルとの接続部分近傍における前記ＬＡＮケーブルの曲げを抑制するカバー部材と、を備え、前記カバー部材は、前記ジャックと前記ＬＡＮケーブルとの接続部分を覆う筒状のケーシング部と、前記ケーシング部の一端部に設けられ、前記ＬＡＮケーブルを把持する、中心にケーブル挿通孔を有するクランプ部と、を備え、前記ケーシング部の他端部は、前記ドラム本体の側面に内側から押し付けられる状態で前記ジャック側と螺着されている。
【００１１】
本発明の第２の態様は、第１の態様のケーブル付き電工ドラムにおいて、前記ドラム本体の側面に、ハウジング本体を配置するための孔が設けられており、この孔に外部より前記ハウジング本体に挿入するとともに、前記胴部内部より前記ケーシング部を前記ハウジング本体に螺着させることにより、前記ハウジング本体が前記ドラム本体の側面に固定されていることを特徴とするものである。
【００１２】
本発明の第３の態様は、第１又は第２の態様のケーブル付き電工ドラムにおいて、前記ケーシング部と前記ドラム本体の側面との間をシールする第１のシール部材をさらに備えることを特徴とするものである。
【００１３】
本発明の第４の態様は、第３の態様のケーブル付き電工ドラムにおいて前記第１のシール部材が、Ｏリングからなることを特徴とするものである。
【００１４】
本発明の第５の態様は、第１乃至４第のいずれかの態様のケーブル付き電工ドラムにおいて、前記ケーシング部と前記クランプ部との間をシールする第２のシール部材をさらに備えることを特徴とするものである。
【００１５】
本発明の第６の態様は、第１乃至第５のいずれかの態様のケーブル付き電工ドラムにおいて、前記ドラム本体を回転自在に支持するフレームをさらに備えることを特徴とするものである。
【発明の効果】
【００１６】
本発明のケーブル付き電工ドラムによれば、ジャックとケーブルとの接続部分における防水性を十分に確保することができるとともに、ジャックとケーブルとの接続部分近傍でケーブルに急峻な曲げが生ずることによる伝送特性などの特性低下を防止することでき、これにより優れた長期信頼性を具備することができる。
【図面の簡単な説明】
【００１７】
【図１】本発明の一実施形態に係るケーブル付き電工ドラムを示す正面図である。
【図２】図１に示すケーブル付き電工ドラムの側面図である。
【図３】図１に示すケーブル付き電工ドラムの要部構成を一部透視して示す正面図である。
【図４】図１に示すケーブル付き電工ドラムの要部構成を拡大し、かつ一部断面で示す分解構成図である。
【発明を実施するための形態】
【００１８】
以下、本発明の実施形態について説明する。なお、説明は図面に基づいて行うが、図面は単に図解のために提供されるものであって、本発明は図面により何ら限定されるものではない。
【００１９】
図１は、本発明の一実施形態に係るケーブル付き電工ドラムを示す正面図であり、図２はその側面図である。また、図３は、図１のケーブル付き電工ドラムから、ケーブルの図示を省略した図である。なお、本実施形態に係るケーブル付き電工ドラムは、例えば、各種イベントでの中継用の配線や、臨時防犯用のネットワークカメラなどの設置に伴う配線、障害発生時の応急復旧用の配線などの用途で利用される。
【００２０】
図１乃至図３に示すように、本実施形態に係るケーブル付き電工ドラム１０は、フレーム２、ドラム本体３およびケーブル５を備えている。
【００２１】
フレーム２は、軸受部などを介してドラム本体３を回転自在に支持するもので、運搬用の取手部２ａ、設置のための脚部２ｂ、これらの取手部２ａおよび脚部２ｂとの接続部分付近から水平方向に延びる支持軸１２を備えている。ドラム本体３は、この支持軸１２に回転自在に支持される。
【００２２】
ドラム本体３は、外周にケーブル５が巻回される筒状（例えば、円筒状）の胴部３ｃと、その両端部に設けられた一対の鍔部３ａ、３ｂ（以下、鍔部３ａを第１の鍔部、鍔部３ｂを第２の鍔部と称する。）とを備えている。
【００２３】
第１および第２の鍔部３ａ、３ｂは、それぞれ胴部３ｃより大径、すなわち、外周が胴部３ｃより径方向外側に突出するような大きさの円板状に形成されている。図２に示すように、第１および第２の鍔部３ａ、３ｂは、胴部３ｃと、複数（例えば、３個）のねじ１６により固定されている。このように第１および第２の鍔部３ａ、３ｂと胴部３ｃが固定されることによって、これらは一体に回転するようになっている。
【００２４】
なお、第２の鍔部３ｂには、さらに、ハウジング８、つまみ部６、およびナット１４が取り付けられている。ハウジング８については、後に詳述する。つまみ部６は、ドラム本体３からケーブル５を引き出したり巻き戻したりする際に使用される。すなわち、つまみ部６を持って第２の鍔部３ｂを回転させることにより、ドラム本体３からケーブル５を引き出したり巻き戻したりすることができる。また、ナット１４は、フレーム２の支持軸１２からドラム本体３が抜け落ちるのを防止するために、第２の鍔部３ｂの外側面（胴部３ｃの取り付け面と反対側の面）に取り付けられたもので、このナット１４にフレーム２の支持軸が固定される。
【００２５】
ケーブル５は、例えばＬＡＮ（Local Area Network）ケーブルなどであり、図１に示すように、ドラム本体３の胴部３ｃに巻回されている。ケーブル５の一端、巻き始め側の端部（巻き始め端ともいう）５ａは、胴部３ｃに設けられた孔または溝（図示なし）から、胴部３ｃ内に引き込まれるとともに、その先端に接続用のジャック５ｃが取り付けられている。また、ケーブル５の他端、巻き終わり側の端部（巻き終わり端ともいう）５ｂにも、同様の、接続用のジャックが取り付けられている。そして、ケーブル５の巻き始め端５ａは、図３に示すように、第２の鍔部３ｂに装着されたハウジング８に挿通固定され、その外周には、カバー部材７が配置されている。他方、ケーブル５の巻き終わり端５ｂの外周にも、カバー部材１７が配置されている。以下、ケーブル５の巻き始め端５ａとジャック５ｃとの接続部分の外周に配置されたカバー部材７を第１のカバー部材と称し、ケーブル５の巻き終わり端５ｂの外周に配置されたカバー部材１７を第２のカバー部材と称する。
【００２６】
図４は、ケーブル５の巻き始め端５ａとハウジング８との挿通固定部分の構造を拡大し、かつ一部断面で示す分解構成図である。
【００２７】
図４に示すように、ハウジング８は、両端を開口させたハウジング本体８ｇと、ハウジング本体８ｇの一方の開口を開閉するハウジングキャップ８ａと、ハウジングキャップ８ａをハウジング本体８ｇに係留する係留部８ｃを備えている。ハウジング本体８ｇの一端側外周には、溝８ｆが形成されており、この溝８ｆに、ハウジングキャップ８ａ内側に設けられた突起部（図示なし）を係合させ、またはこの係合を解除させることによって、ハウジング本体８ｇの一方の開口が開閉可能とされている。また、ハウジング本体８ｇの他端側外周には、第１のカバー部材７を螺着するためのねじ溝８ｅが形成されている。
【００２８】
ハウジング８は、第２の鍔部３ｂに設けられた孔３ｄに、ねじ溝８ｅ形成側端部を挿入して配置される。
【００２９】
すなわち、第２の鍔部３ｂには、図４に示すように、ハウジング８を装着するための孔３ｄが設けられている。ハウジング装着用の孔３ｄは、第２の鍔部３ｂを胴部３ｃの内側から外部へ向けて貫通する貫通孔であり、この貫通孔３ｂに、外側よりハウジング８が挿入されるとともに、その内部のハウジング本体８ｇに、胴部３ｃ内側よりケーブル５巻き始め端５ａに取り付けられたジャック５ｃが接続されている。なお、ハウジング装着用の孔３ｄに挿入されたハウジング８の第２の鍔部３ｂとの当接面には、図示は省略したが、パッキンが配置され、その当接面からの胴部３ｃ内部への水の侵入が防止されるようになっている。
【００３０】
このように接続されたケーブル５の巻き始め端５ａとハウジング８との接続部分の外周には、第１のカバー部材７が配置されている。
【００３１】
第１のカバー部材７は、ハウジング８とケーブル５との接続部分を覆う円筒状のケーシング部７ａと、ハウジング８とケーブル５との接続部分近傍においてケーブル５を把持するクランプ部７ｂとから構成されている。クランプ部７ｂはケーシング部７ａの一端に螺合によって固定されている。
【００３２】
すなわち、クランプ部７ｂは、シール部材としてのＯリング７ｈを備え、またその一端側外周には、ねじ溝７ｇが設けられている。このねじ溝７ｇが形成されている側の端部を、内周面にねじ溝７ｆが形成されたケーシング部７ａの一端に螺合することにより、クランプ部７ｂはケーシング部７ａに固定されている。
【００３３】
Ｏリング７ｈは、ケーシング部７ａとクランプ部７ｂとの界面をシールする位置に配置されている。また、クランプ部７ｂの内周には円筒状のゴム部材（図示なし）が内挿されており、このゴム部材を締め付け変形させることによって、クランプ部７ｂはケーブル５上に固定されている。ケーシング部７ａ内へのクランプ部７ｂ取り付け側からの水の侵入は、これらのＯリング７ｈとゴム部材によって防止される。
【００３４】
一方、円筒状のケーシング部７ａのクランプ部７ｂ取り付け側と反対側の端部の内周には、ハウジング８のねじ溝８ｅに螺合するねじ溝７ｅが形成されるとともに、端面には、シール部材としてＯリング７ｃが配置されている。ねじ溝７ｅを、第２の鍔部３ｂに設けられたハウジング装着用の孔３ｄに挿入したハウジング８のねじ溝８ｅに螺合させることによって、ケーシング部７ａはハウジング８に固定されるとともに、その端面が第２の鍔部３ｂ内側面に押し付けられる。端面には、Ｏリング７ｃが配置されており、このＯリング７ｃにより、ケーシング部７ａ内へのハウジング８側からの水の侵入が防止される。
【００３５】
なお、図３において、１５は、ハウジング８を介して、ケーブル５に接続される他のケーブル（外部ケーブル）を示している。図３に示すように、外部ケーブル１５の一端部には接続端子として、防水型の接続プラグ９が設けられ、他端部には通常の接続プラグ１９が設けられている。
【００３６】
防水型の接続プラグ９は、プラグ本体９ａと、ジャック５ｃに接続された外部ケーブル１５の端部を覆うハウジング９ｇと、ハウジングキャップ９ｂと、ハウジングキャップ９ｂをハウジング９ｇに係留する係留部９ｃを備えている。ハウジング９ｇの一端側（ハウジング８と対向する側）は開口しており、他端側は外部ケーブル１５上に液密に嵌着されている。開口しているハウジング９ｇの一端側は、ジャック５ｃに接続した際には、ジャック５ｃに対し液密に接続されるようになっており、一方、未使用時には、ハウジングキャップ９ｂにより開口を閉鎖できるようになっている。すなわち、ハウジングキャップ９ｂの外周には溝９ｆが形成されておおり、一方、ハウジング９ｇの開口側端部内周面には突起部が設けられており、これらの溝９ｆと突起部を係合させることによって、ハウジング９ｇの一方の開口が閉鎖可能とされている。
【００３７】
このように構成される本実施形態のケーブル付き電工ドラム１０においては、第２の鍔部３ｂに配置されたハウジング８と、ドラム本体３の胴部３ｃ内に引き込まれたケーブル５との接続部分が第１のカバー部材７によって覆われているので、雨天時などに屋外で使用される状況にあって、胴部３ｃ内に水が侵入することがあっても、ハウジング８と、ドラム本体３の胴部３ｃ内に引き込まれたケーブル５との接続部分への水の浸入を防止することができる。これにより、当該接続部分の、例えば腐食、結露、導通不良、断線などといった不具合の発生を抑制することができる。
【００３８】
また、第１のカバー部材７は、ドラム本体３の胴部３ｃ内のジャック５ｃとケーブル５との接続部分近傍においてケーブル５を把持する構造となっているので、ケーブル５を引き出す際などに大きな曲げ応力が加わりやすいジャック５ｃとの接続部分におけるケーブル５に急峻な曲げが生ずるのを防止することができる。これによって、ケーブル５の伝送特性などの特性低下を抑制することができ、長期にわたって高い信頼性を保持することができる。
【００３９】
なお、本実施形態のケーブル付き電工ドラム１０においては、前述したように、ドラム本体３に巻回されたケーブル５の他端部、すなわち巻き終わり端５ｂには、第２のカバー部材１７が取り付けられている。第２のカバー部材１７は、Ｏリング７ｃを有さない以外は第１のカバー部材７と略同様に構成されている。そして、この第２のカバー部材１７の開口する端面、すなわちクランプ部１７ｂと反対側の端面は、キャップ１７ａにより開閉可能とされている。
【００４０】
以上、本発明の実施形態を説明したが、この実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【００４１】
例えば、ケーブル付き電工ドラム１０に巻回するケーブルは、ＬＡＮケーブルのような通信ケーブルに限らず、種々のケーブルが適用可能である。また、通信ケーブルも、メタルケーブルであっても、光ケーブルであってもよい。
【符号の説明】
【００４２】
２…フレーム、３…ドラム本体、３ａ…（第１の）鍔部、３ｂ…（第２の）鍔部、３ｃ…胴部、５…ケーブル、５ａ…ケーブル巻き始め端、５ｃ…ジャック、７…カバー部材、７ａ…ケーシング部、７ｂ…クランプ部、７ｃ，７ｈ…Ｏリング、８…ハウジング、８ｇ…ハウジング本体、１０…ケーブル付き電工ドラム、１２…支持軸。
【図１】
0005542187.tif 000002
【図２】
0005542187.tif 000003
【図３】
0005542187.tif 000004
【図４】
0005542187.tif 000005